(57)【要約】  カードリーダ（１）は、磁気カード（２１）が挿入される挿入口（２２）と、挿入口（２２）から挿入された磁気カード（２１）を搬送する搬送手段（２５〜２８）と、搬送される磁気カード（２１）からデータを読み取る磁気ヘッド（２９）と、挿入口（２２）付近に設けられる磁界発生部（８）とを備える。磁界発生部（８）から発生する妨害磁界が、パネル（２００）の前面に取り付けられた不正読取装置（３００）に作用することで、磁気カード（２１）のデータの不正取得を防止する。また、磁気ヘッド（２９）の下側に磁性体（４０）を配置し、磁界発生部（８）から後方に延びる磁界を偏在させて、磁気ヘッド（２９）に妨害磁界が及ばないようにする。
2014037973.tif 000002
【特許請求の範囲】
【請求項１】
磁気記録媒体が挿入される挿入口と、
前記挿入口から挿入された磁気記録媒体を搬送する搬送手段と、
前記搬送手段により搬送される磁気記録媒体からデータを読み取る磁気ヘッドと、
前記挿入口付近に設けられ、当該挿入口の前方に取り付けられる不正読取装置によって前記磁気記録媒体のデータが読み取られるのを妨害する妨害磁界を発生する磁界発生部と、を備えた磁気記録媒体読取装置において、
前記磁界発生部から発生する妨害磁界を偏在させて、前記磁気ヘッドに及ばないようにするための磁性体を設け、
前記磁性体を、前記磁気ヘッドの下側に配置したことを特徴とする磁気記録媒体読取装置。
【請求項２】
磁気記録媒体が挿入される挿入口と、
前記挿入口から挿入された磁気記録媒体を搬送する搬送手段と、
前記搬送手段により搬送される磁気記録媒体からデータを読み取る磁気ヘッドと、
前記挿入口付近に設けられ、当該挿入口の前方に取り付けられる不正読取装置によって前記磁気記録媒体のデータが読み取られるのを妨害する妨害磁界を発生する磁界発生部と、を備えた磁気記録媒体読取装置において、
前記磁界発生部から発生する妨害磁界を偏在させて、前記磁気ヘッドに及ばないようにするための磁性体を設け、
前記磁性体を、前記磁気ヘッドの下側および側方に配置したことを特徴とする磁気記録媒体読取装置。
【請求項３】
請求項２に記載の磁気記録媒体読取装置において、
前記磁性体は、前記磁気ヘッドの下側に配置される第１の磁性体と、前記磁気ヘッドの側方に配置される第２の磁性体とからなり、
前記第１の磁性体は、前記磁気ヘッドと斜めに対向するように配置されており、
前記第１の磁性体の前記磁気ヘッドから離れる側の端部の近傍に、前記第２の磁性体が配置されていることを特徴とする磁気記録媒体読取装置。
【請求項４】
請求項３に記載の磁気記録媒体読取装置において、
前記第１および第２の磁性体を保持する保持部材を備え、
前記保持部材は、前記第１の磁性体を保持する第１の保持部と、前記第２の磁性体を保持する第２の保持部とを有し、
前記第１の保持部と前記第２の保持部とが、所定の角度をなすように一体形成されていることを特徴とする磁気記録媒体読取装置。
【請求項５】
請求項４に記載の磁気記録媒体読取装置において、
前記第１の保持部は、前記第１の磁性体と係合する第１の係合部を有し、
前記第２の保持部は、前記第２の磁性体と係合する第２の係合部を有していることを特徴とする磁気記録媒体読取装置。
【請求項６】
請求項４に記載の磁気記録媒体読取装置において、
前記保持部材は、装置本体に固定するための固定片と、当該保持部材の動きを規制するためのストッパ片とを備えていることを特徴とする磁気記録媒体読取装置。
【請求項７】
請求項４に記載の磁気記録媒体読取装置において、
前記第１および第２の磁性体は、フラットケーブルに装着されるノイズ遮蔽用のフェライトコアであることを特徴とする磁気記録媒体読取装置。
【請求項８】
磁気記録媒体が挿入される挿入口と、
前記挿入口から挿入された磁気記録媒体を搬送する搬送手段と、
前記搬送手段により搬送される磁気記録媒体からデータを読み取る磁気ヘッドと、
前記挿入口付近に設けられ、当該挿入口の前方に取り付けられる不正読取装置によって前記磁気記録媒体のデータが読み取られるのを妨害する妨害磁界を発生する磁界発生部と、を備えた磁気記録媒体読取装置において、
前記磁界発生部から発生する妨害磁界を偏在させて、前記磁気ヘッドに及ばないようにするための磁性体を設け、
前記磁性体を、前記磁気ヘッドの上側、側方、前方、および後方の少なくとも１つ以上の場所に配置したことを特徴とする磁気記録媒体読取装置。
【請求項９】
請求項１、２または８に記載の磁気記録媒体読取装置において、
前記磁界発生部から発生する妨害磁界が前記磁気ヘッドから離れる方向へ偏在するように、前記磁性体を前記磁気ヘッドに対して傾けて配置したことを特徴とする磁気記録媒体読取装置。
【発明の詳細な説明】
【技術分野】
【０００１】
本発明は、磁気記録媒体に記録されたデータを読み取る装置に関し、特に、データの不正取得を防止する機能を備えた磁気記録媒体読取装置に関する。
【背景技術】
【０００２】
ＡＴＭ（Automated  Teller  Machine：現金自動預け払機）やＣＤ（Cash  Dispenser：現金自動支払機）などの取引処理装置には、磁気カードを読み取るカードリーダが搭載されている。このような取引処理装置において、最近では、磁気カードがカードリーダに挿入される際に、カードの磁気ストライプに記録されたデータを不正に取得するスキミングと呼ばれる犯罪が発生している。【０００３】
典型的なスキミングの例として、磁気ヘッドを備えた不正読取装置を、ＡＴＭやＣＤに備わるカードリーダのカード挿入口の付近に設置し、この不正読取装置の磁気ヘッドにより、カードリーダに挿入される磁気カードのデータを不正に取得する方法がある。【０００４】
上記のようなスキミングに対しては、これまでにも種々の対策が提案されている。例えば、後掲の特許文献１には、カード挿入口の近傍に妨害磁界発生器を設けたカードリーダが記載されている。このカードリーダにおいては、妨害磁界発生器により、カード挿入口の外側領域に妨害磁界が発生する。このため、カード挿入口の外側に不正読取装置が取り付けられたとしても、当該装置で読み取ったデータは、妨害磁界の影響を受けて、カードに記録された元のデータとは異なるデータとなる。これにより、カードのデータが不正に取得されるのを防止することができる。【０００５】
また、後掲の特許文献２には、カード挿入口の周囲に、妨害磁界を発生させるためのループアンテナを配設したカードリーダが記載されている。ループアンテナのアンテナ面は、カード挿入口の前面と平行になっている。このカードリーダにおいても、カード挿入口の外側領域に妨害磁界が発生するので、カード挿入口の外側に不正読取装置が取り付けられたとしても、カードのデータが不正に取得されるのを防止することができる。【０００６】
図２０は、妨害磁界発生器を備えたカードリーダの一例を示している。カードリーダ１の筐体１００の前面に、カード挿入口ユニット２４が設けられている。カード挿入口ユニット２４には、磁気カード２１が挿入される挿入口２２が形成されている。挿入口２２の付近には、挿入されたカード２１を検出するカード挿入検出センサ２３と、カード２１の磁気ストライプを検出する磁気ヘッド３４と、妨害磁界を発生する妨害磁界発生器３５とが設けられている。【０００７】
筐体１００の内部には、カード２１を搬送する搬送ローラ２５〜２８、カード２１の位置を検出するカード位置検出センサ３０〜３３、磁気カード２１のデータを読み取る磁気ヘッド２９などが設けられている。カードリーダ１は、取引処理装置のパネル２００の内側に配設されている。妨害磁界発生器３５の発生する妨害磁界は、パネル２００の前面に取り付けられる不正読取装置３００に作用し、Ａ方向に挿入される磁気カード２１からデータが不正取得されるのを阻止する。
【先行技術文献】
【特許文献】
【０００８】
【特許文献１】特開２００１−６７５２４号公報
【特許文献２】特許第４４２５６７４号公報
【発明の概要】
【発明が解決しようとする課題】
【０００９】
図２０に示したカードリーダ１において、不正読取装置３００におけるスキミングを確実に防止するために、妨害磁界の強度を強くすればするほど、妨害磁界発生器３５の後方側に生じる磁界の強度も強くなるので、筐体１００内の磁気ヘッド２９へ妨害磁界が及んで、データの読取性能が低下するという問題がある。【００１０】
そこで、本発明の目的は、不正読取装置に対して強い妨害磁界を作用させつつも、妨害磁界が磁気ヘッドへ及ばないようにすることで、データの読取性能が低下しないようにした磁気記録媒体読取装置を提供することにある。
【課題を解決するための手段】
【００１１】
本発明に係る磁気記録媒体読取装置は、磁気記録媒体が挿入される挿入口と、この挿入口から挿入された磁気記録媒体を搬送する搬送手段と、この搬送手段により搬送される磁気記録媒体からデータを読み取る磁気ヘッドと、挿入口付近に設けられ、当該挿入口の前方に取り付けられる不正読取装置によって磁気記録媒体のデータが読み取られるのを妨害する妨害磁界を発生する磁界発生部とを備えている。また、磁界発生部から発生する妨害磁界を偏在させて、磁気ヘッドに及ばないようにするための磁性体が、磁気ヘッドの下側に配置されている。【００１２】
このようにすると、磁界発生部から後方に発生する妨害磁界が、磁気ヘッドの下側に配置された磁性体を通るように偏在するので、妨害磁界が磁気ヘッドに及ばなくなる。このため、磁気ヘッドでは、妨害磁界に影響されずに磁気記録媒体のデータを読み取ることができ、データの読取性能が低下することが回避される。【００１３】
本発明では、磁性体を、磁気ヘッドの下側および側方に配置してもよい。【００１４】
これによると、磁界発生部の妨害磁界が磁気ヘッドの下側だけでなく側方へも偏在するので、妨害磁界が磁気ヘッドに一層及びにくくなる。【００１５】
この場合、磁性体は、磁気ヘッドの下側に配置される第１の磁性体と、磁気ヘッドの側方に配置される第２の磁性体とからなり、第１の磁性体は、磁気ヘッドと斜めに対向するように配置されており、第１の磁性体の磁気ヘッドから離れる側の端部の近傍に、第２の磁性体が配置されていてもよい。【００１６】
磁性体の設置スペースの都合で、第１の磁性体を磁気ヘッドと斜めに対向するように配置せざるを得ないことがある。この場合、第１の磁性体の磁気ヘッドから離れる側の端部においては、第１の磁性体と磁気ヘッドとの距離が開くため、磁気ヘッドが妨害磁界の影響を受ける可能性がある。しかるに、第１の磁性体の上記端部の近傍に、第２の磁性体を配置すると、妨害磁界が第２の磁性体に誘導されて偏在するので、磁気ヘッドに妨害磁界が及びにくくなる。【００１７】
本発明では、第１および第２の磁性体を保持する保持部材を設け、この保持部材は、第１の磁性体を保持する第１の保持部と、第２の磁性体を保持する第２の保持部とを有し、第１の保持部と第２の保持部とが、所定の角度をなすように一体形成されていてもよい。【００１８】
これによると、第１の磁性体を保持部材の第１の保持部に保持させ、第２の磁性体を保持部材の第２の保持部に保持させるだけで、第１の磁性体と第２の磁性体とを所定の角度で位置決めすることができ、組立作業の効率化を図ることができる。【００１９】
本発明では、保持部材の第１の保持部は、第１の磁性体と係合する第１の係合部を有し、第２の保持部は、第２の磁性体と係合する第２の係合部を有していてもよい。【００２０】
これによると、第１の磁性体を保持部材の第１の係合部に係合させ、第２の磁性体を保持部材の第２の係合部に係合させることにより、各磁性体を保持部材に簡単に装着することができる。【００２１】
本発明では、保持部材は、装置本体に固定するための固定片と、当該保持部材の動きを規制するためのストッパ片とを備えていてもよい。【００２２】
これによると、保持部材を固定片により装置本体に固定した場合に、ストッパ片により保持部材の動きが規制されるので、保持部材を装置本体に安定した状態で固定することができる。【００２３】
本発明では、第１および第２の磁性体は、フラットケーブルに装着されるノイズ遮蔽用のフェライトコアであってもよい。【００２４】
これによると、専用部品としての磁性体を設計・製造する必要がなく、容易に入手できる市販の汎用部品を利用できるので、結果的に製造コストを低く抑えることができる。【００２５】
本発明では、磁性体を、磁気ヘッドの上側、側方、前方、および後方の少なくとも１つ以上の場所に配置してもよい。【００２６】
これによると、磁気ヘッド周辺に存在する部品やスペースなどの状況に応じて、最適の場所に磁性体を配置することができる。【００２７】
本発明では、磁界発生部から発生する妨害磁界が磁気ヘッドから離れる方向へ偏在するように、磁性体を磁気ヘッドに対して傾けて配置してもよい。【００２８】
これによると、磁界発生部の妨害磁界が磁気ヘッドから離れる方向へ偏在するので、妨害磁界が磁気ヘッドに一層及びにくくなる。
【発明の効果】
【００２９】
本発明によれば、不正読取装置に対して強い妨害磁界を作用させても、妨害磁界が磁気ヘッドへ及ばないので、データの読取性能が低下しない磁気記録媒体読取装置を提供することができる。
【図面の簡単な説明】
【００３０】
【図１】図１は、本発明の実施形態に係るカードリーダの電気的構成を示したブロック図である。
【図２】図２は、第１実施形態によるカードリーダの側面断面図および正面図である。
【図３】図３は、磁気カードの平面図である。
【図４】図４は、第１実施形態における磁性体の配置と妨害磁界の偏在を示した図である。
【図５】図５は、磁気ストライプの検出を説明するための波形図である。
【図６】図６は、第１実施形態の変形例によるカードリーダの側面断面図である。
【図７】図７は、第２実施形態によるカードリーダの側面断面図である。
【図８】図８は、第２実施形態における磁性体の配置と妨害磁界の偏在を示した図である。
【図９】図９は、第２実施形態における磁性体の配置の他の例と妨害磁界の偏在を示した図である。
【図１０】図１０は、カードリーダを裏側からみた斜視図である。
【図１１】図１１は、カードリーダを裏側からみた平面図である。
【図１２】図１２は、図１１のＸ−Ｘ断面図およびＹ−Ｙ断面図である。
【図１３】図１３は、磁性体と保持部材の分解図である。
【図１４】図１４は、磁性体と保持部材の組立図である。
【図１５】図１５は、第３実施形態における磁性体の配置と妨害磁界の偏在を示した図である。
【図１６】図１６は、第３実施形態における磁性体の配置の他の例と妨害磁界の偏在を示した図である。
【図１７】図１７は、第４実施形態における磁性体の配置と妨害磁界の偏在を示した図である。
【図１８】図１８は、第４実施形態における磁性体の配置の他の例と妨害磁界の偏在を示した図である。
【図１９】図１９は、第５実施形態における磁性体の配置と妨害磁界の偏在を示した図である。
【図２０】図２０は、従来のカードリーダの側面断面図である。
【発明を実施するための形態】
【００３１】
以下、本発明の実施形態について、図面を参照しながら説明する。各図において、同一符号は、同一部分または対応部分を表している。
【００３２】
（第１実施形態）
まず、図１および図２を参照して、第１実施形態によるカードリーダの構成について説明する。なお、図２中のＦは前方向、Ｂは後方向、Ｌは左方向、Ｒは右方向、Ｕは上方向、Ｄは下方向をそれぞれ表している（以降の図においても同様）。
【００３３】
図１に示すように、本実施形態によるカードリーダ１は、装置全体の動作を制御するＣＰＵからなる制御部２と、磁気カードに記録されている磁気データを読み取る磁気情報読取部３と、磁気カードを搬送するカード搬送部４と、磁気カードを検出するカード検出センサ５と、磁気情報読取部３で読み取った磁気データを記憶するメモリ６と、上位装置（例えばＡＴＭ）との接続部であるホストインターフェース７と、磁気カードの磁気ストライプを検出する磁気ストライプ検出部１０と、磁気ストライプに記録されたデータの読み取りを妨げるための妨害磁界を発生する磁界発生部８とを備えている。
【００３４】
制御部２は、磁界発生部８を制御する磁界制御部９と、カード搬送部４を制御するカード搬送制御部１２とを含む。磁気ストライプ検出部１０および磁界発生部８は、カード挿入口ユニット２４内に設置されている。磁気ストライプ検出部１０は、後述する磁気ヘッド３４（図２）を含む。なお、図１の構成は、後述する各実施形態に共通である。
【００３５】
図２（ａ）に示すように、カードリーダ１の筐体１００の前面には、カード挿入口ユニット２４が設けられている。カード挿入口ユニット２４には、磁気カード（以下、単に「カード」という。）２１が挿入される挿入口２２が形成されている。カード２１は、図３に示すように、磁気ストライプ２１ａを有している。図３は、カード２１を裏面から見た図である。挿入口２２の付近には、挿入されたカード２１を検出するカード挿入検出センサ２３と、カード２１の磁気ストライプ２１ａを検出する磁気ヘッド３４と、妨害磁界を発生する磁界発生部８とが設けられている。
【００３６】
磁界発生部８は、例えば、鉄心と、これに巻回されたコイルとから構成される。図２（ｂ）からわかるように、磁界発生部８は、挿入口２２に向って、磁気ストライプ検出用の磁気ヘッド３４側に設けられている。
【００３７】
カードリーダ１の筐体１００の内部には、搬送ローラ２５〜２８、カード位置検出センサ３０〜３３、磁気ヘッド２９が設けられている。搬送ローラ２５〜２８は、それぞれ搬送路Ｐを挟んで１対設けられており、１対のローラでカード２１を挟持して搬送する。これらの搬送ローラ２５〜２８は、搬送ベルト（図示省略）を介して、モータ（図示省略）に連結されている。１対の搬送ローラのうち、一方はモータの回転力が伝達される駆動ローラであり、他方はこの駆動ローラに従動して回転する従動ローラである。搬送ローラ２５〜２８は、上記の搬送ベルトおよびモータとともに、カード搬送部４（図１）を構成する。カード搬送部４は、本発明における「搬送手段」の一例である。
【００３８】
カード位置検出センサ３０〜３３は、透過型の光センサであり、それぞれ、搬送路Ｐを挟んで対向する発光部と受光部を有している。これらのセンサ３０〜３３の配置間隔は、磁気カード２１の搬送方向の長さよりも短くなっている。センサ３０は、挿入口２２に最も近い搬送ローラ２５にカード２１が挟持されたことを検出する。センサ３３は、挿入されたカード２１が、カードを一時的に貯留する貯留部（図示省略）に達したことを検出する。センサ３１、３２は、搬送中のカード２１の位置を検出する。これらのカード位置検出センサ３０〜３３は、前記のカード挿入検出センサ２３とともに、カード検出センサ５（図１）を構成する。
【００３９】
磁気ヘッド２９は、搬送ローラ２６と搬送ローラ２７との間で、搬送路Ｐの下側に設けられている。この磁気ヘッド２９は、挿入されたカード２１が搬送路Ｐを搬送される過程で、カード２１の磁気ストライプ２１ａに記録されているデータを読み取る。前述の磁気ヘッド３４が、磁気ストライプに記録されているデータの有無を検出するための磁気ヘッドであるのに対し、磁気ヘッド２９は、磁気ストライプに記録されているデータそのものを再生するための磁気ヘッドである。磁気ヘッド２９の下側（Ｄ方向）には、磁性体４０が設けられている。この磁性体４０は、フェライトや鉄のような透磁率の高い材料からなる。
【００４０】
カードリーダ１は、取引処理装置のパネル２００の内側に配設されている。パネル２００の開口からＡ方向に挿入されたカード２１は、カードリーダ１の挿入口２２へ導かれる。カードリーダ１は、本発明の磁気記録媒体読取装置を構成している。
【００４１】
次に、図２（ａ）のように、パネル２００の前面に磁気ヘッドを含む不正読取装置３００が取り付けられた場合のスキミング対策について説明する。
【００４２】
磁界制御部９（図１）の制御に基づき、磁界発生部８に駆動電流が流れると、磁界発生部８は、妨害磁界を発生させる。本実施形態では、磁界発生部８に継続して駆動電流を流すことで、磁界発生部８は常時、妨害磁界を発生している。磁界発生部８で発生した妨害磁界は、前方（Ｆ方向）へ延び、不正読取装置３００に作用する。このため、不正読取装置３００で読み取ったデータは、妨害磁界の影響を受けて、カード２１に記録された元のデータとは異なるデータとなる。これにより、カード２１のデータが不正に取得されるのを防止することができる。
【００４３】
一方、磁界発生部８で発生した妨害磁界は、磁界発生部８の後方（Ｂ方向）にも存在する。しかしながら、磁気ヘッド２９の下側には磁性体４０が配置されているので、図４（ａ）に示すように、妨害磁界Ｍは磁性体４０を通るように偏在する。このため、妨害磁界Ｍが、磁気データ読取用の磁気ヘッド２９に及ぶことがなく、磁気ヘッド２９は、妨害磁界Ｍに影響されずにカード２１のデータを読み取ることができる。
【００４４】
磁性体４０は、図４（ｂ）に示すように、磁気ヘッド２９に対して（Ｆ−Ｂ方向に対して）、Ｄ方向側に傾けて配置してもよい。これにより、妨害磁界Ｍが磁気ヘッド２９からより離れる方向へ偏在するので、妨害磁界Ｍが磁気ヘッド２９に一層及びにくくなる。
【００４５】
このように、第１実施形態によれば、パネル２００の前面に取り付けられた不正読取装置３００に対しては、磁界発生部８から発生する妨害磁界を作用させることで、スキミングを防止することができる。また一方で、磁気ヘッド２９の下側に磁性体４０を配置したことにより、磁界発生部８で発生した妨害磁界が、カードリーダ１内の磁気ヘッド２９に及びにくくなるので、データの読取性能が低下するのを回避することができる。
【００４６】
また、磁界発生部８で発生した妨害磁界は、磁気ストライプ検出用の磁気ヘッド３４にも作用する。このため、磁気ヘッド３４にリード線を介して不正読取装置が接続された場合でも、データが不正に取得されるのを防止することができる。なお、妨害磁界が常時磁気ヘッド３４に作用しても、磁気ヘッド３４は磁気データそのものを再生する必要はないので、例えば、磁気ストライプ２１ａの検出の前後で検出信号のパターンが異なることを利用して、磁気ストライプ２１ａを検出することができる。これを図５で説明する。
【００４７】
図５（ａ）は、磁界発生部８に流れる駆動電流の波形である。磁界発生部８からは、この駆動電流に応じた妨害磁界が発生する。図５（ｂ）は、妨害磁界が存在しない場合に、磁気ヘッド３４から出力される検出信号の波形である。図５（ｃ）は、妨害磁界が存在する場合に、磁気ヘッド３４から出力される検出信号の波形であり、図５（ａ）と図５（ｂ）とを合成した波形となる。図５（ｃ）からわかるように、磁気ストライプが検出された時刻ｔの前と後とでは、検出信号のパターンが異なる。したがって、このパターンの変化を以って、磁気ストライプの検出が可能となる（以降の各実施形態でも同様）。
【００４８】
上述したカードリーダ１において、図６に示すように、磁界発生部８の前方で、パネル２００とカード挿入口ユニット２４との間に、磁性体３６を配置してもよい（以降の各実施形態でも同様）。この磁性体３６は、磁性体４０と同様、フェライトや鉄のような透磁率の高い材料からなる。磁性体３６は、例えば、パネル２００に設けられた支持部材（図示省略）に取り付けられている。なお、磁性体３６に代えて、ループアンテナを配置してもよい。
【００４９】
このような磁性体３６を設けると、磁界発生部８で発生した妨害磁界が、一種の導波路となる磁性体３６に導かれて前方へ延びるので、不正読取装置３００に強い妨害磁界を作用させることができる。このため、不正読取装置３００によるスキミングを、より効果的に防止することができる。
【００５０】
（第２実施形態）
次に、本発明の第２実施形態について説明する。
【００５１】
図７は、第２実施形態によるカードリーダ１を示している。前記の第１実施形態（図２）では、磁気ヘッド２９の下側に、磁性体４０が設けられていた。これに対して、第２実施形態では、磁気ヘッド２９の側方に、磁性体４０が設けられている。図７（ａ）では、磁性体４０は磁気ヘッド２９の手前側に設けられており、図７（ｂ）では、磁性体４０は磁気ヘッド２９の向こう側に設けられている。
【００５２】
第２実施形態における妨害磁界の分布は、図８のようになる。図８は、磁気ヘッド２９を上から見た図である。図８（ａ）では、磁性体４０が磁気ヘッド２９のＬ方向の側方に設けられており、妨害磁界Ｍは、この磁性体４０を通ってＬ方向に偏在している。図８（ｂ）では、磁性体４０が磁気ヘッド２９のＲ方向の側方に設けられており、妨害磁界Ｍは、この磁性体４０を通ってＲ方向に偏在している。図８（ｃ）では、磁性体４０が磁気ヘッド２９のＬ方向とＲ方向の各側方に設けられており、妨害磁界Ｍは、これらの磁性体４０を通ってＬ方向とＲ方向に偏在している。
【００５３】
このように、第２実施形態によれば、パネル２００の前面に取り付けられた不正読取装置３００に対しては、磁界発生部８から発生する妨害磁界を作用させることで、スキミングを防止することができる。また一方で、磁気ヘッド２９の側方に磁性体４０を配置したことにより、磁界発生部８で発生した妨害磁界が、カードリーダ１内の磁気ヘッド２９に及びにくくなるので、データの読取性能が低下するのを回避することができる。
【００５４】
図８では、磁性体４０を磁性体４０と平行に配置しているが、図９に示すように、磁性体４０を磁気ヘッド２９に対して傾けて配置してもよい。これにより、妨害磁界Ｍを磁気ヘッド２９からより離れる方向へ偏在させることができるので、妨害磁界Ｍが磁気ヘッド２９に一層及びにくくなる。
【００５５】
次に、上述した第１実施形態と第２実施形態とを併用したカードリーダ１の実施例を、図１０〜図１４を参照しながら説明する。
【００５６】
図１０は、カードリーダ１を裏側からみた斜視図、図１１は、カードリーダ１を裏側からみた平面図である。両図とも、部品の一部について図示を省略してある。図１１のＸ−Ｘ断面図が図１２（ａ）に、図１１のＹ−Ｙ断面図が図１２（ｂ）に、それぞれ示されている。
【００５７】
図１０〜図１２において、筐体１００の内部には、磁気ヘッド２９と、複数の搬送ローラ６１が設けられている。磁気ヘッド２９は、図１２に示すように、筐体１００に形成された開口６０からＵ方向（上側）に突出して、搬送路Ｐに臨んでいる。搬送ローラ６１も、筐体１００に形成された開口６２（図１０、図１１参照）からＵ方向（上側）に突出して、搬送路Ｐに臨んでいる。
【００５８】
磁気ヘッド２９の近傍には、妨害磁界を偏在させるための２個の磁性体４１，４２が配置されている。図１２（ｂ）に示すように、磁性体４１（第１の磁性体）は、磁気ヘッド２９の下側（Ｄ方向）に位置しており、磁性体４２（第２の磁性体）は、磁気ヘッド２９の側方（Ｌ方向）に位置している。これらの磁性体４１，４２は、樹脂成型品からなる保持部材５０に保持されている。
【００５９】
図１３に示すように、保持部材５０は、磁性体４１を保持する保持部５１（第１の保持部）と、磁性体４２を保持する保持部５２（第２の保持部）と、保持部材５０をカードリーダ本体に固定するための固定片５３と、保持部材５０の動きを規制するためのストッパ片５４とを備えている。保持部５１と保持部５２とは、所定の角度をなすように一体形成されている。保持部５１には、磁性体４１と係合する一対の係合部５１ａ，５１ｂ（第１の係合部）が形成されており、保持部５２には、磁性体４２と係合する３つの係合部５２ａ，５２ｂ，５２ｃ（第２の係合部）が形成されている。
【００６０】
磁性体４１，４２は、フラットケーブルに装着されるノイズ遮蔽用の市販のフェライトコアからなる。このため、磁性体４１は、扁平な形状をしていて、中心にフラットケーブル（図示省略）が挿通される貫通孔４１ａが形成されている。同様に、磁性体４２も、扁平な形状をしていて、中心にフラットケーブルが挿通される貫通孔４２ａが形成されている。
【００６１】
磁性体４１は、貫通孔４１ａの一方の開口端が係合部５１ａと係合し、貫通孔４１ａの他方の開口端が係合部５１ｂと係合することにより、図１４に示すように保持部５１に保持される。磁性体４２は、貫通孔４２ａの一方の開口端が係合部５２ａ，５２ｂと係合し、貫通孔４２ａの他方の開口端が係合部５２ｃと係合することにより、図１４に示すように保持部５２に保持される。なお、図１４の（ａ）は保持部材５０を斜め上方から見た図であり、（ｂ）は保持部材５０を横から見た図である。
【００６２】
ところで、図１２（ｂ）に示すように、磁性体４１は、磁気ヘッド２９と斜めに対向するように配置されており、磁性体４１の磁気ヘッド２９から離れる側（Ｌ方向側）の端部４１ｂの近傍に、磁性体４２が配置されている。磁性体４１を斜めに配置するのは、磁性体４１の設置スペースに他の部材（図示省略）が存在することから、当該部材との干渉を避けるためである。
【００６３】
この場合、磁性体４１のＲ方向側の端部４１ｃにおいては、磁性体４１と磁気ヘッド２９との距離が短いので、妨害磁界は磁性体４１を通るように偏在するが、磁性体４１のＬ方向側の端部４１ｂにおいては、磁性体４１と磁気ヘッド２９との距離が開くため、磁性体４１が妨害磁界を誘導する効果が十分に発揮されず、磁気ヘッド２９が妨害磁界の影響を受ける可能性がある。しかるに、磁性体４１のＬ方向側の端部４１ｂの近傍に磁性体４２を配置したことにより、妨害磁界が磁性体４２に誘導されて偏在するので、磁気ヘッド２９に妨害磁界が及ばなくなる。
【００６４】
以上述べた図１０〜図１４の実施例によれば、妨害磁界が磁気ヘッド２９の下側だけでなく側方へも偏在するので、妨害磁界が磁気ヘッド２９に一層及びにくくなる。また、各磁性体４１，４２を、係合によって保持部材５０に簡単に装着することができる。さらに、保持部材５０には、保持部５１，５２が所定の角度をなすように一体形成されているので、磁性体４１，４２をそれぞれ保持部５１，５２に保持させるだけで、磁性体４１，４２を所定の角度で位置決めすることができ、組立作業の効率化を図ることができる。
【００６５】
また、保持部材５０を固定片５３によりカードリーダ本体に固定した場合に、ストッパ片５４を本体の一部に当接させることにより、保持部材５０の動きが規制されるので、保持部材５０をカードリーダ本体に安定した状態で固定することができる。
【００６６】
さらに、磁性体４１，４２として、フラットケーブルに装着されるノイズ遮蔽用のフェライトコアを用いているため、専用部品としての磁性体を設計・製造する必要がなく、容易に入手できる市販の汎用部品を利用できるので、結果的に製造コストを低く抑えることができる。
【００６７】
（第３実施形態）
次に、本発明の第３実施形態について説明する。第３実施形態のカードリーダの全体的な構成については、磁性体４０の配置を除いて、図２と同じであるので、説明を省略する。
【００６８】
図１５は、第３実施形態における磁性体４０の配置と妨害磁界の偏在を示しており、磁気ヘッド２９を上から見た図である。図１５においては、磁性体４０が、磁気ヘッド２９の前方（Ｆ方向）に設けられている。
【００６９】
詳しくは、図１５（ａ）では、磁性体４０は、磁気ヘッド２９から見て、Ｆ方向側でかつＬ方向側の斜め前方位置に配置されている。そして、磁性体４０は、Ｆ−Ｂ方向に対して、Ｌ方向側に傾いて設けられている。これにより、妨害磁界Ｍは、磁性体４０に導かれて磁気ヘッド２９から離れる方向（Ｌ方向）へ偏在し、磁気ヘッド２９に及ばなくなる。
【００７０】
図１５（ｂ）では、磁性体４０は、磁気ヘッド２９から見て、Ｆ方向側でかつＲ方向側の斜め前方位置に配置されている。そして、磁性体４０は、Ｆ−Ｂ方向に対して、Ｒ方向側に傾いて設けられている。これにより、妨害磁界Ｍは、磁性体４０に導かれて磁気ヘッド２９から離れる方向（Ｒ方向）へ偏在し、磁気ヘッド２９に及ばなくなる。
【００７１】
図１５（ｃ）では、磁性体４０は、磁気ヘッド２９から見て、Ｆ方向側でかつＬ方向側とＲ方向側の両方の斜め前方位置に配置されている。そして、磁性体４０は、Ｆ−Ｂ方向に対して、Ｌ方向側とＲ方向側に傾いて設けられている。これにより、妨害磁界Ｍは、２つの磁性体４０に導かれて磁気ヘッド２９から離れる方向（Ｌ方向およびＲ方向）へ偏在し、磁気ヘッド２９に及ばなくなる。
【００７２】
図１６は、磁性体４０の配置の他の例を示している。図１６（ａ）は、磁気ヘッド２９を横から見た図である。図１６（ｂ）は、磁気ヘッド２９を上から見た図である。磁性体４０は、磁気ヘッド２９から見て、Ｆ方向側でかつＤ方向側の斜め前方位置に配置されている。そして、磁性体４０は、Ｆ−Ｂ方向に対して、Ｄ方向側に傾いて設けられている。これにより、妨害磁界Ｍは、磁性体４０に導かれて磁気ヘッド２９から離れる方向（Ｄ方向）へ偏在し、磁気ヘッド２９に及ばなくなる。
【００７３】
なお、図１６（ａ）に破線で示すように、磁性体４０を、磁気ヘッド２９から見て、Ｆ方向側でかつＵ方向側の斜め前方位置に配置し、Ｆ−Ｂ方向に対して、Ｕ方向側に傾けて設けてもよい。この場合は、妨害磁界はＵ方向へ偏在し、磁気ヘッド２９に及ばなくなる。また、磁性体４０を、磁気ヘッド２９から見て、Ｆ方向側でかつＤ方向側とＵ方向側の両方の斜め前方位置に配置してもよい。
【００７４】
このように、第３実施形態によれば、パネル２００の前面に取り付けられた不正読取装置３００（図２）に対しては、磁界発生部８から発生する妨害磁界を作用させることで、スキミングを防止することができる。また一方で、磁気ヘッド２９の斜め前方位置に磁性体４０を配置したことにより、磁界発生部８で発生した妨害磁界が、カードリーダ１内の磁気ヘッド２９に及びにくくなるので、データの読取性能が低下するのを回避することができる。
【００７５】
（第４実施形態）
次に、本発明の第４実施形態について説明する。第４実施形態のカードリーダの全体的な構成については、磁性体４０の配置を除いて、図２と同じであるので、説明を省略する。
【００７６】
図１７は、第４実施形態における磁性体４０の配置と妨害磁界の偏在を示しており、磁気ヘッド２９を上から見た図である。図１７においては、磁性体４０が、磁気ヘッド２９の後方（Ｂ方向）に設けられている。
【００７７】
詳しくは、図１７（ａ）では、磁性体４０は、磁気ヘッド２９から見て、Ｂ方向側でかつＬ方向側の斜め後方位置に配置されている。そして、磁性体４０は、Ｆ−Ｂ方向に対して、Ｌ方向側に傾いて設けられている。これにより、妨害磁界Ｍは、磁性体４０に導かれて磁気ヘッド２９から離れる方向（Ｌ方向）へ偏在し、磁気ヘッド２９に及ばなくなる。
【００７８】
図１７（ｂ）では、磁性体４０は、磁気ヘッド２９から見て、Ｂ方向側でかつＲ方向側の斜め後方位置に配置されている。そして、磁性体４０は、Ｆ−Ｂ方向に対して、Ｒ方向側に傾いて設けられている。これにより、妨害磁界Ｍは、磁性体４０に導かれて磁気ヘッド２９から離れる方向（Ｒ方向）へ偏在し、磁気ヘッド２９に及ばなくなる。
【００７９】
図１７（ｃ）では、磁性体４０は、磁気ヘッド２９から見て、Ｂ方向側でかつＬ方向側とＲ方向側の両方の斜め後方位置に配置されている。そして、磁性体４０は、Ｆ−Ｂ方向に対して、Ｌ方向側とＲ方向側に傾いて設けられている。これにより、妨害磁界Ｍは、２つの磁性体４０に導かれて磁気ヘッド２９から離れる方向（Ｌ方向およびＲ方向）へ偏在し、磁気ヘッド２９に及ばなくなる。
【００８０】
図１８は、磁性体４０の配置の他の例を示している。図１８（ａ）は、磁気ヘッド２９を横から見た図である。図１８（ｂ）は、磁気ヘッド２９を上から見た図である。磁性体４０は、磁気ヘッド２９から見て、Ｂ方向側でかつＤ方向側の斜め後方位置に配置されている。そして、磁性体４０は、Ｆ−Ｂ方向に対して、Ｄ方向側に傾いて設けられている。これにより、妨害磁界Ｍは、磁性体４０に導かれて磁気ヘッド２９から離れる方向（Ｄ方向）へ偏在し、磁気ヘッド２９に及ばなくなる。
【００８１】
なお、図１８（ａ）に破線で示すように、磁性体４０を、磁気ヘッド２９から見て、Ｂ方向側でかつＵ方向側の斜め後方位置に配置し、Ｆ−Ｂ方向に対して、Ｕ方向側に傾けて設けてもよい。この場合は、妨害磁界はＵ方向へ偏在し、磁気ヘッド２９に及ばなくなる。また、磁性体４０を、磁気ヘッド２９から見て、Ｂ方向側でかつＤ方向側とＵ方向側の両方の斜め後方位置に配置してもよい。
【００８２】
このように、第４実施形態によれば、パネル２００の前面に取り付けられた不正読取装置３００（図２）に対しては、磁界発生部８から発生する妨害磁界を作用させることで、スキミングを防止することができる。また一方で、磁気ヘッド２９の斜め後方位置に磁性体４０を配置したことにより、磁界発生部８で発生した妨害磁界が、カードリーダ１内の磁気ヘッド２９に及びにくくなるので、データの読取性能が低下するのを回避することができる。
【００８３】
（第５実施形態）
次に、本発明の第５実施形態について説明する。第５実施形態のカードリーダの全体的な構成については、磁性体４０の配置を除いて、図２と同じであるので、説明を省略する。
【００８４】
図１９は、第５実施形態における磁性体４０の配置と妨害磁界の偏在を示しており、磁気ヘッド２９を横から見た図である。図１９においては、磁性体４０が、磁気ヘッド２９の上側（Ｕ方向）に設けられている。
【００８５】
詳しくは、図１９（ａ）では、磁性体４０は、搬送路Ｐを挟んで、磁気ヘッド２９と対向する位置に配置されている。これにより、妨害磁界Ｍは、磁性体４０に導かれて磁気ヘッド２９から離れる方向（Ｕ方向）へ偏在し、磁気ヘッド２９に及ばなくなる。なお、磁性体４０を、Ｆ−Ｂ方向に対して、Ｕ方向側に傾けて設けてもよい。この場合は、妨害磁界Ｍが磁気ヘッド２９に一層及びにくくなる。また、図１９（ｂ）に示すように、磁性体４０を磁気ヘッド２９の上側（Ｕ方向）と下側（Ｄ方向）の両方に設けてもよい。この場合も、磁性体４０を、Ｆ−Ｂ方向に対して、Ｕ方向側およびＤ方向側に傾けて設けてもよい。
【００８６】
このように、第５実施形態によれば、パネル２００の前面に取り付けられた不正読取装置３００（図２）に対しては、磁界発生部８から発生する妨害磁界を作用させることで、スキミングを防止することができる。また一方で、磁気ヘッド２９の上側に磁性体４０を配置したことにより、磁界発生部８で発生した妨害磁界が、カードリーダ１内の磁気ヘッド２９に及びにくくなるので、データの読取性能が低下するのを回避することができる。
【００８７】
（その他の実施形態）
本発明では、以上述べた実施形態以外にも、種々の実施形態を採用することができる。例えば、磁性体４０の配置に関して、第１実施形態ないし第５実施形態の配置を、任意に組み合わせることが可能である。したがって、磁性体４０は、磁気ヘッド２９の下側、上側、側方、前方、および後方の少なくとも１つ以上の場所に配置すればよい。これにより、磁気ヘッド２９の周辺に存在する部品やスペースなどの状況に応じて、最適の場所に磁性体４０を配置することができる。
【００８８】
また、図１０〜図１４の実施形態においては、磁性体４１，４２を別部品から構成したが、これらを一体化した、Ｌ字形やＶ字形の単一の磁性体を用いてもよい。
【００８９】
また、以上述べた各実施形態においては、磁界発生部８を、鉄心と、これに巻回されたコイルとから構成したが、本発明における磁界発生部８はこれのみに限定されない。例えば、磁界発生部８をループアンテナにより構成してもよい。
【００９０】
また、以上の説明では、カード２１が挿入される場合のスキミング対策について述べたが、磁界発生部８から妨害磁界が常時発生していることから、カード２１が返却される場合にも、スキミングを防止することができる。なお、妨害磁界を常時発生させることは、本発明にとって必須ではなく、妨害磁界に休止期間を設けるようにしてもよい。
【００９１】
また、以上の説明では、パネル２００の前面に取り付けられた不正読取装置３００に対するスキミングと、磁気ストライプ検出用の磁気ヘッド３４に対するスキミングの各対策について述べた。一方、磁気データ読取用の磁気ヘッド２９に対するスキミング対策としては、例えば、磁気ヘッド２９で読み取ったデータを暗号化するなどの対策がとられる。
【００９２】
また、以上の各実施形態においては、磁気記録媒体として、裏面に磁気ストライプのある磁気カードを例に挙げた。しかしながら、本発明は、磁気ストライプが表面もしくは表裏両面にある磁気カードを扱う磁気記録媒体読取装置にも適用することができる。
【００９３】
また、以上の各実施形態においては、磁気記録媒体として磁気カードを例に挙げた。しかしながら、本発明は、磁気カードに限らず、磁気ストライプを有する通帳のような磁気記録媒体を読み取る装置にも適用することができる。
【産業上の利用可能性】
【００９４】
本発明は、ＡＴＭのような自動取引処理装置に搭載されるカードリーダや通帳リーダ、あるいはカード認証端末に搭載されるカードリーダなど、磁気記録媒体を読み取る装置全般に適用することができる。
【符号の説明】
【００９５】
１    カードリーダ
４    カード搬送部
８    磁界発生部
２１  磁気カード
２２  挿入口
２９  磁気ヘッド
４０，４１，４２  磁性体
４１ｂ  端部
５０  保持部材
５１，５２  保持部
５１ａ，５１ｂ，５２ａ，５２ｂ，５２ｃ  係合部
５３  固定片
５４  ストッパ片
Ｍ    妨害磁界
【図１】
2014037973.tif 000003
【図２】
2014037973.tif 000004
【図３】
2014037973.tif 000005
【図４】
2014037973.tif 000006
【図５】
2014037973.tif 000007
【図６】
2014037973.tif 000008
【図７】
2014037973.tif 000009
【図８】
2014037973.tif 000010
【図９】
2014037973.tif 000011
【図１０】
2014037973.tif 000012
【図１１】
2014037973.tif 000013
【図１２】
2014037973.tif 000014
【図１３】
2014037973.tif 000015
【図１４】
2014037973.tif 000016
【図１５】
2014037973.tif 000017
【図１６】
2014037973.tif 000018
【図１７】
2014037973.tif 000019
【図１８】
2014037973.tif 000020
【図１９】
2014037973.tif 000021
【図２０】
2014037973.tif 000022
【手続補正書】
【提出日】平成25年1月21日(2013.1.21)
【手続補正１】
【補正対象書類名】特許請求の範囲
【補正対象項目名】全文
【補正方法】変更
【補正の内容】
【特許請求の範囲】
【請求項１】
磁気記録媒体が挿入される挿入口と、
前記挿入口から挿入された磁気記録媒体を搬送する搬送手段と、
前記搬送手段により搬送される磁気記録媒体からデータを読み取る磁気ヘッドと、
前記挿入口付近に設けられ、当該挿入口の前方に取り付けられる不正読取装置によって前記磁気記録媒体のデータが読み取られるのを妨害する妨害磁界を発生する磁界発生部と、を備えた磁気記録媒体読取装置において、
前記磁界発生部から発生する妨害磁界を偏在させて、前記磁気ヘッドに及ばないようにするための磁性体を設け、
前記磁性体は、フラットケーブルに装着されるノイズ遮蔽用のフェライトコアであり、
前記磁性体を、前記磁気ヘッドの下側に配置したことを特徴とする磁気記録媒体読取装置。
【請求項２】
磁気記録媒体が挿入される挿入口と、
前記挿入口から挿入された磁気記録媒体を搬送する搬送手段と、
前記搬送手段により搬送される磁気記録媒体からデータを読み取る磁気ヘッドと、
前記挿入口付近に設けられ、当該挿入口の前方に取り付けられる不正読取装置によって前記磁気記録媒体のデータが読み取られるのを妨害する妨害磁界を発生する磁界発生部と、を備えた磁気記録媒体読取装置において、
前記磁界発生部から発生する妨害磁界を偏在させて、前記磁気ヘッドに及ばないようにするための磁性体を設け、
前記磁性体は、フラットケーブルに装着されるノイズ遮蔽用のフェライトコアであり、
前記磁性体を、前記磁気ヘッドの下側および側方に配置したことを特徴とする磁気記録媒体読取装置。
【請求項３】
請求項２に記載の磁気記録媒体読取装置において、
前記磁性体は、前記磁気ヘッドの下側に配置される第１の磁性体と、前記磁気ヘッドの側方に配置される第２の磁性体とからなり、
前記第１の磁性体は、前記磁気ヘッドと斜めに対向するように配置されており、
前記第１の磁性体の前記磁気ヘッドから離れる側の端部の近傍に、前記第２の磁性体が配置されていることを特徴とする磁気記録媒体読取装置。
【請求項４】
請求項３に記載の磁気記録媒体読取装置において、
前記第１および第２の磁性体を保持する保持部材を備え、
前記保持部材は、前記第１の磁性体を保持する第１の保持部と、前記第２の磁性体を保持する第２の保持部とを有し、
前記第１の保持部と前記第２の保持部とが、所定の角度をなすように一体形成されていることを特徴とする磁気記録媒体読取装置。
【請求項５】
請求項４に記載の磁気記録媒体読取装置において、
前記第１の保持部は、前記第１の磁性体と係合する第１の係合部を有し、
前記第２の保持部は、前記第２の磁性体と係合する第２の係合部を有していることを特徴とする磁気記録媒体読取装置。
【請求項６】
請求項４に記載の磁気記録媒体読取装置において、
前記保持部材は、装置本体に固定するための固定片と、当該保持部材の動きを規制するためのストッパ片とを備えていることを特徴とする磁気記録媒体読取装置。
【請求項７】
（削除）
【請求項８】
磁気記録媒体が挿入される挿入口と、
前記挿入口から挿入された磁気記録媒体を搬送する搬送手段と、
前記搬送手段により搬送される磁気記録媒体からデータを読み取る磁気ヘッドと、
前記挿入口付近に設けられ、当該挿入口の前方に取り付けられる不正読取装置によって前記磁気記録媒体のデータが読み取られるのを妨害する妨害磁界を発生する磁界発生部と、を備えた磁気記録媒体読取装置において、
前記磁界発生部から発生する妨害磁界を偏在させて、前記磁気ヘッドに及ばないようにするための磁性体を設け、
前記磁性体は、フラットケーブルに装着されるノイズ遮蔽用のフェライトコアであり、
前記磁性体を、前記磁気ヘッドの上側、側方、前方、および後方の少なくとも１つ以上の場所に配置したことを特徴とする磁気記録媒体読取装置。
【請求項９】
請求項１、２または８に記載の磁気記録媒体読取装置において、
前記磁界発生部から発生する妨害磁界が前記磁気ヘッドから離れる方向へ偏在するように、前記磁性体を前記磁気ヘッドに対して傾けて配置したことを特徴とする磁気記録媒体読取装置。
【国際調査報告】
2014037973.tif 000023
2014037973.tif 000024
2014037973.tif 000025